(57)【特許請求の範囲】
【請求項１】
端末に関する位置探索関連情報を含む更新メッセージを生成することと、
前記端末に関する前記位置探索関連情報を用いて位置探索サーバを更新するために、前記位置探索サーバからの要請なしで、位置探索サーバに前記更新メッセージを送ることと、
を備え、
前記端末に関する前記位置探索関連情報は前記端末の能力についての情報を備え、前記更新メッセージを送ることは、前記端末の能力が前記位置探索サーバに最後に報告された以後変化したならば、前記更新メッセージを送ることを備える、
位置探索サービスをサポートする方法。
【請求項２】
端末に関する位置探索関連情報を含む更新メッセージを受信することと、ここで、前記更新メッセージは、位置探索サーバからの要請なしで前記端末から受信される、ここで、  前記端末に関する前記位置探索関連情報は前記端末の能力についての情報を備え、前記更新メッセージを受信することは、前記端末の能力が前記位置探索サーバに最後に報告された以後変化したならば、前記更新メッセージを受信することを備える、
前記位置探索サーバにおける前記端末に関する位置探索関連情報を、前記更新メッセージ中の前記位置探索関連情報を用いて更新することと、
を備える位置探索サービスをサポートする方法。
【発明の詳細な説明】
【技術分野】
【０００１】
本開示は一般に通信に係り、更に具体的には位置探索サービスをサポートするための技術に関する。
【背景技術】
【０００２】
［３５Ｕ．Ｓ．Ｃ．§１１９に基づく優先権の主張］
本特許出願は、２００８年２月２６日に提出され、本出願の譲受人に譲渡され、そして、参照としてここに明確に組み込まれた、“ＳＥＳＳＩＯＮ  ＡＵＤＩＴＩＮＧ  ＦＯＲ  ＳＥＣＵＲＥ  ＵＳＥＲ  ＰＬＡＮＥ  ＬＯＣＡＴＩＯＮ  （ＳＵＰＬ）”と題する米国特許仮出願番号第６１／０３１，６２２号に優先権を主張する。
【０００３】
端末の位置を知ることはしばしば望ましく、時には必要である。用語“ロケーション”と“ポジション”は同義語であって本明細書では交換可能に使用される。例えば、利用者は端末を利用してウェブサイトに目を通すことが出来て、位置センシティブコンテンツ（position sensitive content）にクリックすることが出来る。この場合、前記端末の位置が決定されて利用者に適切なコンテンツを提供するために利用されることが出来る。別な例として、利用者は端末を利用して非常呼び出しを発することが出来る。この場合、端末の位置が決定されて前記利用者に非常支援を送るために利用されることが出来る。端末の位置の知識が有用もしくは必要である多数の他のシナリオがある。
【０００４】
端末は位置探索サーバ（location server）とメッセージを交換して位置探索サービス（location service）のための位置探索セッション（location session）を確立することが出来る。もし前記セッションの確立が首尾よく行った場合、前記端末は位置探索サービスのために位置探索サーバと通信することが出来る。位置探索セッションの継続時間は取得される位置探索サービスの型と恐らくその他の要因に依存することが出来る。位置探索セッションを、それが端末と位置探索サーバの双方において有効である限り、維持することが望ましく、その他の場合は前記位置探索セッションを終了させることが望ましいと言える。
【発明の概要】
【０００５】
本明細書では、セキュアユーザプレーンロケーション（Secure User Plane Location）（ＳＵＰＬ）のようなユーザプレーン位置探索アーキテクチャにおける位置探索セッションについての情報を問い合わせる（query）ための技術が説明される。一態様では、位置探索サーバは、セッション情報についてのクエリー（即ち、セッション情報クエリー）を実行して、端末に、現在、端末と位置探索サーバとの間で進行中の全てのアクティブ位置探索セッションに関する情報を返信するよう要求することが出来る。セッション情報クエリーは、（ｉ）位置探索サーバのみにおいて若しくは端末のみにおいてアクティブである位置探索セッション、及び／又は（ｉｉ）位置探索サーバにおけるパラメータが端末におけるパラメータと不適合である位置探索セッション、を特定するために使用されることが出来る。位置探索サーバはセッション情報クエリーを、周期的に実行する、及び／又は位置探索サーバと端末との間で起こり得る不適合なセッションコンテキストをサーバが疑う場合は何時でも、実行することが出来る。不適合なセッションコンテキストは端末の偶発的電源切断、端末もしくは位置探索サーバにおける故障、端末と位置探索サーバ間通信の延長不可能、等々からもたらされ得る。本技術は不適合なセッションコンテキストを検出して対処するために使用されることが出来て、位置探索サービスと性能を改良することが出来る。
【０００６】
１つの設計では、位置探索サーバは、例えば周期的トリガサービス若しくはエリアイベントトリガサービス（area event triggered service）のための少なくとも１つの位置探索セッションが位置探索サーバでアクティブである場合、アクティブ位置探索セッションに関する情報について問い合わせるために、端末にクエリーメッセージを送ることが出来る。端末はアクティブ位置探索セッションについての情報を含む応答メッセージを返信することが出来る。この情報はアクティブ位置探索セッションに対するセッション識別子（ＩＤ）リスト、アクティブ位置探索セッションに対するパラメータ、等々を含むことが出来る。端末は又自身の能力及び／又はその他の情報を位置探索サーバに返信することも出来る。位置探索サーバは端末から受信された情報と位置探索サーバで蓄積された情報を比較することが出来る。位置探索サーバは端末のみにおいて若しくは位置探索サーバのみにおいてアクティブであると思われる各位置探索セッションを終了させることが出来る。位置探索サーバは端末におけるパラメータが位置探索サーバにおけるパラメータと不適合である各位置探索セッションを再起動もしくは終了させることが出来る。位置探索サーバは又、もし受信された情報が前記蓄積された情報と適合しない場合、他の修正動作を実行することが出来る。
【０００７】
別の態様では、端末は、位置探索サーバにアクティブな位置探索セッションについての情報及び／又は前記端末の能力についての情報を提供するために、更新メッセージを位置探索サーバに送ることが出来る。１つの設計では、端末は、もし所定の期間内にアクティブ位置探索セッションに対して位置探索サーバと何のメッセージも交換されていなければ、更新メッセージを送ることが出来る。別の設計では、端末は、もし端末の能力が位置探索サーバへ最後に報告されて以後変わった場合、更新メッセージを送ることが出来る。
【０００８】
本開示の種々の態様と特徴が下記に更に詳細に説明される。
【図面の簡単な説明】
【０００９】
【図１】図１は位置探索サービスをサポートする実例の配備を示す。
【図２】図２はアクティブ位置探索セッションについての情報を得るためのセッション情報クエリーの利用を示す。
【図３】図３はセッション情報クエリーセッションに対する通話の流れを示す。
【図４】図４はネットワーク起動のエリアイベントトリガサービスに対する通話の流れを示す。
【図５】図５はアクティブ位置探索セッションについての情報を送るためのメッセージを示す。
【図６】図６は位置探索サーバによって位置探索サービスをサポートするための処理を示す。
【図７】図７は端末によって位置探索サービスをサポートするための処理を示す。
【図８】図８は端末によって位置探索サービスをサポートするための処理を示す。
【図９】図９は位置探索サーバによって位置探索サービスをサポートするための別の処理を示す。
【図１０】図１０は端末と位置探索サーバのブロック図を示す。
【発明を実施するための形態】
【００１０】
本明細書では、ユーザプレーン位置探索アーキテクチャ／ソリューションにおいてセッション情報クエリーを実行するための技術が説明される。ユーザプレーン位置探索アーキテクチャは位置探索サービスのためのメッセージをユーザプレーンを介して送る位置探索アーキテクチャである。ユーザプレーン位置探索アーキテクチャは、位置探索サービスのためのメッセージをコントロールプレーンを介して送るコントロールプレーン位置探索アーキテクチャとは異なる。ユーザプレーンはより上位層のアプリケーションに対するシグナリングを搬送するための及びユーザプレーンベアラを利用するためのメカニズムであって、それは一般的には、ユーザデータグラムプロトコル（User Datagram Protocol）（ＵＤＰ）、トランスミッションコントロールプロトコル（Transmission Control Protocol）（ＴＣＰ）、及びインターネットプロトコル（Internet Protocol）（ＩＰ）のようなプロトコルを用いて実施される。コントロールプレーンは、より上位層のアプリケーションに対するシグナリングを搬送するためのメカニズムであって、一般的にはネットワーク固有のプロトコル、インターフェース、及びシグナリングメッセージを用いて実施される。位置探索サービスをサポートするメッセージは、コントロールプレーンアーキテクチャにおけるシグナリングの一部として、及びユーザプレーンアーキテクチャにおける（ネットワーク視点からの）データの一部として、搬送される。しかしながら、メッセージの内容は、ユーザプレーン位置探索アーキテクチャ及びコントロールプレーン位置探索アーキテクチャ双方において、同じ若しくは類似することがあり得る。
【００１１】
本明細書記載の技術は、オープンモバイルアライアンス（Open Mobile Alliance）（ＯＭＡ）からのＳＵＰＬ及び“第３世代パートナーシッププロジェクト２”（３ＧＰＰ２）と名付けられた組織からのＸ．Ｓ００２４のような、種々のユーザプレーン位置探索アーキテクチャに対して利用されることが出来る。簡明を期するため、本技術のある態様は下記ではＳＵＰＬに対して説明され、そしてＳＵＰＬの用語が下記の記載の多くで使用される。
【００１２】
図１は位置探索サービスをサポートする実例の配備を示す。端末１２０は、通信サービスを取得するために、無線ネットワーク１１０及び／又は有線ネットワーク１１２と任意の所与の時点で通信することが出来る。端末１２０は固定であっても若しくはモバイルであっても良く、そして移動局（ＭＳ）、利用者装置（ＵＥ）、アクセス端末（ＡＴ）、加入者局、ステーション、等々と呼ばれることも出来る。端末１２０はセルラ電話、携帯情報端末（ＰＤＡ）、ハンドヘルド装置、無線装置、ラップトップコンピュータ、無線モデム、コードレス電話、遠隔測定装置、追跡装置、等々であってもよい。端末１２０はＳＵＰＬにおいてはＳＵＰＬ可能端末（SUPL Enabled Terminal）（ＳＥＴ）と呼ばれることが出来る。本明細書では、用語“端末”と“ＳＥＴ”は交換可能に使用される。
【００１３】
無線ネットワーク１１０は無線広域ネットワーク（wireless wide area network）（ＷＷＡＮ）、無線都市圏ネットワーク（wireless metropolitan area network）（ＷＭＡＮ）、無線ローカルエリアネットワーク（wireless local area network）（ＷＬＡＮ）、等々であることが出来る。用語“ネットワーク”と“システム”はしばしば交換可能に使用される。ＷＷＡＮは符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等々であることが出来る。ＣＤＭＡネットワークは、広帯域ＣＤＭＡ（Wideband-CDMA）（Ｗ−ＣＤＭＡ）、ｃｄｍａ２０００、等々のような無線技術を実施することが出来る。ｃｄｍａ２０００はＩＳ−２０００規格、ＩＳ−９５規格、及びＩＳ−８５６規格をカバーする。ＴＤＭＡネットワークはグローバルシステムフォーモバイルコミュニケーションズ（Global system for Mobile communications）（ＧＳＭ（登録商標））のような無線技術を実施することが出来る。ＯＦＤＭＡネットワークはロングタームエボリューション（Long-Term Evolution）（ＬＴＥ）、ウルトラモバイルブロードバンド（Ultra Mobile Broadband）（ＵＭＢ）、フラッシュＯＦＤＭ、等々のような無線技術を実施することが出来る。Ｗ−ＣＤＭＡ、ＧＳＭ（登録商標）とＬＴＥは“第３世代パートナーシッププロジェクト”（“3rd Generation Partnership Project”）（３ＧＰＰ）と呼ばれる組織からの文書に説明されている。ＣＤＭＡとＵＭＢは３ＧＰＰ２からの文書に説明されている。３ＧＰＰと３ＧＰＰ２の文書は公に入手可能である。ＷＭＡＮは、通常ＷｉＭＡＸと呼ばれる、ＩＥＥＥ８０２．１６のような無線技術を実施することが出来る。ＷＬＡＮは８０２．１１（これは通常Ｗｉ−Ｆｉと呼ばれる）、ハイパーラン（Hiperlan）、等々のような無線技術を実施することが出来る。有線ネットワーク１１２はケーブルネットワーク、デジタル加入者線（ＤＳＬ）ネットワーク、インターネット、等々であることが出来る。無線ネットワーク１１０は有線ネットワーク１１２に結合されても結合されなくても良い。
【００１４】
ＳＥＴ１２０は、衛星１５０からの信号を受信して測定し、衛星に対する疑似距離測定値を得ることが出来る。衛星１５０は米国の全地球測位システム（Global Positioning System）（ＧＰＳ）、ヨーロッパのガリレオシステム、ロシアのＧＬＯＮＡＳＳシステム、或いは何か他の衛星測位システム（satellite positioning system）（ＳＰＳ）若しくは全地球ナビゲーション衛星システム（global navigation satellite system）（ＧＮＳＳ）の一部であることが出来る。疑似距離測定値と衛星１５０の既知の位置はＳＥＴ１２０に対する位置（position）推定値を導出するために使用されることが出来る。位置（position）推定値は位置（location）推定値、ポジションフィックス（position fix）、等々と呼ばれることも出来る。ＳＥＴ１２０は無線ネットワーク１１０内の基地局からの信号を受信して測定し、前記基地局に対するタイミング及び／又は信号強度測定値を得ることが出来る。前記タイミング及び／又は信号強度測定値と前記基地局の既知の位置はＳＥＴ１２０に対する位置推定値を導出するために使用されることが出来る。一般には、位置推定値は、衛星及び／又は基地局に対する測定値に基づいて及び測位方式の内の１つ若しくは組合せを使用して、導出されることが出来る。
【００１５】
ＳＵＰＬ位置探索プラットフォーム（ＳＬＰ）１３０はＳＥＴ１２０と通信してＳＥＴ１２０のための位置探索サービスをサポートすることが出来る。位置探索サービスは位置探索情報に基づく若しくはそれに関連する任意のサービスを含むことが出来る。位置探索サービスは、ＳＥＴのために地理的位置推定値または民生用（civil）位置推定値を決定するための処理である測位を含むことが出来る。測位は（ｉ）地理的位置推定値に対しては緯度、経度と高度座標および不確定性（ｉｉ）民生用位置推定値に対しては住所、を提供することが出来る。ＳＬＰ１３０とＳＥＴ１２０との間の通信は無線ネットワーク１１０及び／又は有線ネットワーク１１２を介することが出来る。ＳＬＰ１３０はネットワーク１１０と１１２から独立していても良いし、或いは、ネットワーク１１０と１１２の一部であっても良い。ＳＬＰ１３０は、ＳＥＴ１２０がそれに関するサービスサブスクリプション（service subscription）を有するホームＳＬＰ（Ｈ−ＳＬＰ）、ＳＥＴ１２０に現在サービスを提供中のビジテッド（Visited）ＳＬＰ（Ｖ−ＳＬＰ）、又は非常サービスのためにＳＥＴ１２０にサービスを提供する非常（Emergency）ＳＬＰ（Ｅ−ＳＬＰ）、であることが出来る。
【００１６】
ＳＬＰ１３０はＳＵＰＬ位置探索センター（ＳＬＣ）１３２とＳＵＰＬ測位センター（ＳＰＣ）１３４を含むことが出来る。ＳＬＣ１３２は位置探索サービスをサポートし、ＳＵＰＬの動作を調整し、そしてユーザプレーンベアラを介してＳＥＴと交信することが出来る。ＳＬＣ１３２は、プライバシー、イニシエーション、セキュリティ、ローミングサポート、課金／請求書発行、サービス管理、位置計算、等々のための機能を実行することが出来る。ＳＰＣ１３４はＳＥＴのための測位と前記ＳＥＴへの支援データの搬送をサポートすることが出来て、位置計算のために使用されるメッセージと処理手順に対して責任を持つことも出来る。ＳＰＣ１３４はセキュリティ、支援データ搬送、参照検索、位置計算、等々のための機能を実行することが出来る。
【００１７】
ＳＵＰＬエージェント１４０は、ＳＬＰ１３０と（例えば、直接もしくは１又は複数のネットワークを介して）通信して、ＳＥＴ１２０についての位置探索情報を取得することが出来る。ＳＵＰＬエ−ジェントは、位置探索情報を取得するためにネットワークリソースにアクセスするサービスアクセスポイントまたは位置探索クライアントである。位置探索情報は位置推定値及び／又は位置に関連する任意の情報を含むことが出来る。ＳＥＴ１２０は又ＳＥＴ内に常駐するＳＵＰＬエージェントを有することも出来る。ＳＥＴ１２０、ＳＬＰ１３０、及びＳＵＰＬエージェント１４０はそれぞれＳＵＰＬの任意のバージョンをサポートすることが出来る。ＳＵＰＬバージョン２．０（ＳＵＰＬ２．０）は、“セキュアユーザプレーンロケーションアーキテクチャ”と題する、ＯＭＡ−ＡＤ−ＳＵＰＬ−Ｖ２と“ユーザプレーンロケーションプロトコル”と題する、ＯＭＡ−ＴＳ−ＵＬＰ−Ｖ２に記載されている。これ等のＳＵＰＬ文書はＯＭＡから公に入手可能である。
【００１８】
ＳＥＴ１２０とＳＬＰ１３０は種々の位置探索サービスをサポートすることが出来る。表１は、ＳＥＴ１２０とＳＬＰ１３０によってサポートされることが出来るある複数の位置探索サービスを列挙して、それぞれの位置探索サービスの短い説明を与える。非常サービスは即時サービス若しくは何か他の位置探索サービスに基づくことが出来る。ＳＥＴ１２０とＳＬＰ１３０は又表１に列挙されない他の位置探索サービスをサポートすることも出来る。
【表１】
0005583729.tif 000002
【００１９】
ＳＥＴ１２０は位置探索サービスのためにＳＬＰ１３０との位置探索セッションを確立することが出来る。位置探索セッションは、位置探索サービスのためのセッションであって、ＳＵＰＬセッションと呼ばれることも出来る。位置探索セッションは固有のセッションＩＤを割り当てられることが出来て、ＩＤは位置探索セッションを識別するためにＳＥＴ１２０とＳＬＰ１３０双方によって使用されることが出来る。位置探索セッションは拡張された期間、例えば、数時間、数日、若しくは数週間でも、持続することが出来る。位置探索セッションは、（ｉ）ＳＥＴ１２０が周期的に自身の位置を把握してＳＬＰ１３０に報告する周期的トリガサービス、或いは（ｉｉ）ＳＥＴ１２０がある範囲の限定された地理的領域に入る若しくは前記領域を離れるというような、ある一定の判定規準が生じる場合に、ＳＥＴ１２０が自身の位置をＳＬＰ１３０に報告するエリアイベントトリガサービス、に対するものであることが出来る。ある地理的領域に入る若しくは前記領域を離れることに基づく（或いは任意の他の明確なしかし予測不可能なイベントに基づく）位置報告に関しては、ＳＬＰ１３０はＳＥＴ１２０からの位置探索情報を、受信するとしても、予測できない時間に受信する可能性がある。更に、もしＳＥＴ１２０とＳＬＰ１３０との間の通信が一時的に失われることがあり得れば、その場合、ＳＬＰ１３０は、ＳＥＴ１２０からの位置探索情報を、周期的位置探索サービスとトリガ位置探索サービス双方に対して、受信するとしても、予測できない時間に受信する可能性がある。
【００２０】
位置探索セッションの期間中、例えば利用者による偶発的電源切断のために、或いは、ＳＬＰ１３０との通信することがＳＥＴ１２０によっては不可能になったために、ＳＥＴ１２０は前記位置探索セッションに関する情報をどういうわけか失うことがあり得る。ＳＬＰ１３０は、各ＳＥＴ通信間の可能な長時間遅延についてのＳＬＰ１３０による予想のために、恐らく長時間、このことに気がつかないことがあり得る。長時間遅延は、周期的トリガサービスに対する報告イベント間の長い時間間隔、エリアイベントトリガサービスに対する報告判定規準の非発生、ＳＥＴ１２０に対する通信アクセスの欠落（例えば、無線通信範囲の欠落）、等々によって引き起こされることがあり得る。どのような場合にせよ、ＳＥＴ１２０によるセッション情報の喪失は、ＳＥＴ１２０についての位置探索情報が、周期的トリガ若しくはエリアイベントトリガが実際に生じる時に、ＳＬＰ１３０に（若しくは要求するＳＵＰＬエージェントに）もはや提供されないが故に、トリガサービスの不適切なサポートをもたらすことがあり得る。
【００２１】
ＳＬＰ１３０も又、現在ＳＬＰ１３０において進行中の位置探索セッションに関する情報を、例えば、ハードウェア故障もしくはソフトウェア故障、再起動プロシージャ、スケジュールされた保守、システム更新、等々のために、喪失することがあり得る。どのような場合にせよ、ＳＬＰ１３０とＳＥＴ１２０との間のセッションコンテキストは首尾一貫しないことになり得る。ＳＬＰ１３０は、例えＳＥＴ１２０が出来なくても、特別な位置探索セッションをアクティブにすることを考慮することが出来るし、この逆もあり得る。
【００２２】
一態様では、ＳＬＰ１３０は、ある拡大された期間の位置探索セッションがＳＥＴ１２０の場合なお進行中である可能性がある場合、セッション情報クエリーを実行することが出来る。前記セッション情報クエリーについて、ＳＬＰ１３０は、ＳＥＴ１２０には既知のＳＥＴ１２０とＳＬＰ１３０との間の全てのアクティブ位置探索セッションに関する情報を返信するように、ＳＥＴ１２０に要求することが出来る。アクティブ位置探索セッションは、少なくとも１つのエンティティ、例えばＳＬＰ及び／又はＳＥＴ、によって進行中すなわちアクティブであると思われる、位置探索セッションである。アクティブ位置探索セッションはアクティブＳＵＰＬセッション、ペンディング位置探索セッション、等々と呼ばれることもある。ＳＬＰ１３０はＳＥＴ１２０から受信された情報をＳＬＰ１３０で蓄積された情報と比較することが出来て、ＳＬＰ１３０とＳＥＴ１２０は前記アクティブ位置探索セッションに関して同期しているかどうか、を判定することが出来る。
【００２３】
一般に、ＳＥＴ１２０は、任意の所与の時点で、任意の数のＳＬＰ１３０とのアクティブ位置探索セッションを有することが出来る。前記アクティブ位置探索セッションは１又は複数の型の位置探索サービスに対するものである。例えば、ＳＥＴ１２０はゼロ個以上の周期的トリガセッション、ゼロ個以上のエリアイベントトリガセッション、等々を有することが出来る。周期的トリガセッションは周期的トリガサービスに対する位置探索セッションであり、そしてエリアイベントトリガセッションはエリアイベントトリガサービスに対する位置探索セッションである。
【００２４】
図２はアクティブ位置探索セッションについての情報を得るためのセッション情報クエリーの利用を示す。下記の説明では、位置探索セッション＃ｘはｘのセッションＩＤを持つ位置探索セッションを指す。図２に示される例では、ＳＥＴ１２０またはＳＬＰ１３０は位置探索セッション＃１を時間Ｔ１  で開始することが出来る。後の時間Ｔ２  では、ＳＥＴ１２０またはＳＬＰ１３０は位置探索セッション＃２を開始することが出来る。時間Ｔ３  では、ＳＬＰ１３０はＳＥＴ１２０に対するアクティブ位置探索セッションについての情報を得るためにセッション情報クエリーを実行することが出来る。ＳＥＴ１２０は位置探索セッション＃１と＃２がアクティブであることを示す情報を用いて応答することが出来る。時間Ｔ４  では、ＳＥＴ１２０またはＳＬＰ１３０は位置探索セッション＃３を開始することが出来る。時間Ｔ５  では、ＳＬＰ１３０はＳＥＴ１２０に対するアクティブ位置探索セッションについての情報を得るためにセッション情報クエリーを実行することが出来る。ＳＥＴ１２０は位置探索セッション＃１、＃２と＃３がアクティブであることを示す情報を用いて応答することが出来る。時間Ｔ６  では、位置探索セッション＃２がＳＥＴ１２０またはＳＬＰ１３０によって終了させられることが出来る。時間Ｔ７  では、位置探索セッション＃３がＳＥＴ１２０またはＳＬＰ１３０によって終了させられることが出来る。時間Ｔ８  では、ＳＬＰ１３０はＳＥＴ１２０に対するアクティブ位置探索セッションについての情報を得るためにセッション情報クエリーを実行することが出来る。ＳＥＴ１２０は位置探索セッション＃１のみがアクティブであることを示す情報を用いて応答することが出来る。時間Ｔ９  では、位置探索セッション＃１がＳＥＴ１２０またはＳＬＰ１３０によって終了させられることが出来る。
【００２５】
一般に、ＳＬＰ１３０は、ＳＥＴ１２０に対するアクティブ位置探索セッションについての情報を得るために、任意の時にセッション情報クエリーを実行することが出来る。それぞれのセッション情報クエリーは、ＳＬＰ１３０によってクエリーメッセージを用いて起動されることが出来るセッションを介して実行され、ＳＥＴ１２０によってアクティブ位置探索セッションについての情報を含む応答メッセージを用いて終了させられることが出来る。
【００２６】
図３はＳＵＰＬにおける“セッション情報についてのクエリー”セッション（若しくは簡単に、セッション情報クエリーセッション）に対する通話の流れを示す。通話の流れ３００は、ＳＬＰ１３０がアクティブ位置探索セッションについての情報に関してＳＥＴ１２０に問い合わせる、ことを可能にする。ＳＬＰ１３０は、ＳＥＴ１２０にＳＵＰＬ  ＩＮＩＴメッセージを送ることによって、セッション情報クエリーセッションを起動することが出来る（ステップＡ）。ＳＵＰＬ  ＩＮＩＴメッセージは、前記セッション情報クエリーセッションに対するセッションＩＤ（ｓｅｓｓｉｏｎ−ｉｄ）、測位方法（ｐｏｓｍｅｔｈｏｄ）、及びＳＬＰモード、を含むことが出来る。測位方法パラメータは標準的には位置探索セッションに対して意図された測位方法を示す。１つの設計では、セッション情報クエリーセッションは、前記測位方法パラメータを“ｓｅｓｓｉｏｎｉｎｆｏｑｕｅｒｙ”の所定の値に設定することによって、指示されることが出来る。 ＳＬＰ１３０は、ＳＵＰＬ  ＩＮＩＴメッセージをＳＥＴ１２０に送る前に、前記メッセージのハッシュ（hash）を計算して記憶することが出来る。
【００２７】
ＳＥＴ１２０は、ＳＬＰ１３０からＳＵＰＬ  ＩＮＩＴメッセージを受信して、受信されたメッセージを解析することが出来る。ＳＥＴ１２０は、もし前記メッセージが認証されてないということが発見されれば、それ以上のアクションは取らないことが出来る。その他の場合、ＳＥＴ１２０は、データ接続のセットアップ手順を実行し、もしＳＥＴ１２０がパケットデータネットワークに未だ接続されていなければ自身をネットワークに接続し、そしてＳＬＰ１３０へのセキュアな（secure）接続を確立する（ステップＢ）。次に、ＳＥＴ１２０はＳＵＰＬ  ＲＥＰＯＲＴメッセージをＳＬＰ１３０に返信することが出来る（ステップＣ）。ＳＵＰＬ  ＲＥＰＯＲＴメッセージは、前記セッション情報クエリーセッションに対するセッションＩＤ、ＳＥＴ１２０とＳＬＰ１３０との間の全ての現在アクティブな位置探索セッションのセッションＩＤのリスト（ｓｅｓｓｉｏｎｌｉｓｔ）、受信されたＳＵＰＬ  ＩＮＩＴメッセージのハッシュ（ｖｅｒ）、等々を含むことが出来る。ＳＥＴ１２０は又ＳＵＰＬ  ＲＥＰＯＲＴメッセージで自身の能力を送ることが出来る（図３では示されない）。ＳＥＴ１２０は、前記ＳＵＰＬ  ＲＥＰＯＲＴメッセージを送った後に、前記セッション情報クエリーセッションに関連する全てのリソースを解放することが出来る。
【００２８】
ＳＬＰ１３０は、ＳＵＰＬ  ＲＥＰＯＲＴメッセージをＳＥＴ１２０から受信することが出来て、ＳＥＴ１２０には既知のアクティブ位置探索セッションに対するセッションＩＤのリストを取得することが出来る。次にＳＬＰ１３０は、自身の内部セッションＩＤコンテキストを更新して、“半開（half open）”位置探索セッションをＳＥＴ１２０から受信された情報に基づいて識別することが出来る。半開位置探索セッションは、一方のエンティティのみによってアクティブであると考えられる及び／又はＳＥＴにおけるパラメータとは適合しない、位置探索サーバにおけるパラメータを有する位置探索セッションである。ＳＬＰ１３０は、半開位置探索セッションを再立ち上げ又は閉じる、例えば、ＳＬＰ１３０はアクティブであると考えたがＳＥＴ１２０は考えなかった位置探索セッションを再立ち上げする、又はＳＥＴ１２０はアクティブであると考えたがＳＬＰ１３０は考えなかった位置探索セッションを閉じる、ことを決定することが出来る。もしＳＵＰＬ  ＲＥＰＯＲＴメッセージがＳＥＴの能力を含む場合、ＳＬＰ１３０は前記ＳＥＴの能力についてＳＬＰ１３０によって保持されている一切の記録を更新することが出来る。
【００２９】
ＳＬＰ１３０は、ステップＡでＳＵＰＬ  ＩＮＩＴメッセージを送ると、タイマーＳＴ６を開始することが出来る。このタイマーは適切な値、例えば、１０秒または何か他の時間、に設定されることが出来る。ＳＬＰ１３０は、もし前記タイマーが時間切れになる時ＳＵＰＬ  ＲＥＰＯＲＴメッセージがＳＥＴ１２０から受信されていなければ、前記セッション情報クエリーセッションに関する前記ＳＬＰにおけるリソースを消去することが出来る。１つの設計では、ＳＬＰ１３０は又、もし前記タイマーの期限前にＳＵＰＬ  ＲＥＰＯＲＴメッセージがＳＥＴ１２０から受信されなければ、ＳＥＴ１２０はダウンしている（例えば、電源が切断されている或いは通信接続をとれない）と見なすことが出来て、ＳＬＰ１３０がＳＥＴ１２０に対してアクティブであると考えた位置探索セッションのためのリソースを消去することも出来る。別の設計では、ＳＬＰ１３０は、ＳＥＴ１２０はダウンしていると判定する前に、ＳＵＰＬ  ＩＮＩＴメッセージを数回送ることを試みることが出来る。ＳＬＰ１３０は又、もし前記タイマーの期限前にＳＵＰＬ  ＲＥＰＯＲＴメッセージがＳＥＴ１２０から受信されなければ、他のアクションを実行することも出来る。
【００３０】
図３で示された設計では、“ｓｅｓｓｉｏｎｉｎｆｏｑｕｅｒｙ”に設定された測位法パラメータを持つＳＵＰＬ  ＩＮＩＴメッセージは、アクティブ位置探索セッションについての情報を要求するための、クエリーメッセージとして使用される。ＳＵＰＬ  ＲＥＰＯＲＴメッセージは前記アクティブ位置探索セッションについての情報を搬送する応答メッセージとして使用される。他のＳＵＰＬメッセージも又クエリーメッセージと応答メッセージのために使用されることが出来る。
【００３１】
一般に、ＳＥＴ１２０は応答メッセージで任意の関連情報を返信することが出来る。１つの設計では、ＳＥＴ１２０は全てのアクティブ位置探索セッションに対するセッションＩＤのリストのみを返信することが出来る。別の設計では、ＳＥＴ１２０は、位置探索セッションの型（例えば、周期的トリガ、セッション、エリアイベントトリガセッション）、セッション固有のパラメータ、ＳＥＴの能力、等々のような、それぞれのアクティブ位置探索セッションに関する付加的情報返信することが出来る。セッション固有のパラメータは、周期的トリガセッションに対する総継続時間と周期間隔、エリアイベントトリガセッションに対する目標地理的領域とイベントトリガの型、等々を含むことが出来る。
【００３２】
各セッション情報クエリーに対して、ＳＬＰ１３０はＳＥＴ１２０から受信された情報をＳＬＰ１３０で蓄積された情報と比較することが出来る。もし前記受信された情報が前記蓄積された情報と適合するならば、その場合ＳＬＰ１３０は、前記アクティブ位置探索セッションに関して自身とＳＥＴ１２０との間に同期がある、と見なすことが出来る。もし前記受信された情報が前記蓄積された情報と不適合であるならば、その場合ＳＬＰ１３０は、是正措置を実行することが出来る。ＳＬＰ１３０によって取られるべき措置はＳＥＴ１２０から受信された情報の型に依存することが出来る。１つの設計では、ＳＥＴ１２０は前記アクティブ位置探索セッションに対するセッションＩＤのリストのみを返信することが出来る。この場合、ＳＬＰ１３０は、ＳＥＴ１２０がＳＬＰ１３０と同じ位置探索セッションを認識しているかどうかを確認することが出来て、ＳＬＰ１２０とＳＥＴ１３０双方が認識する各位置探索セッションに関しては前記セッションパラメータは正しいと見なすことが出来る。もし１つのエンティティ（例えば、ＳＥＴ１２０若しくはＳＬＰ１３０）が相手方エンティティが有してない位置探索セッションを記録するならば、その場合ＳＬＰ１３０は、例えば、もしＳＥＴ１２０が位置探索セッションはアクティブであると示したならば、ＳＥＴ１２０に通報することによって、位置探索セッションを終了することが出来る。別の設計では、ＳＥＴ１２０は、前記アクティブ位置探索セッションに関するセッションＩＤのリスト並びにセッション固有のパラメータを返信することが出来る。この場合、もし所与の位置探索セッションに対するあるパラメータがＳＥＴ１２０とＳＬＰ１３０で合致しないならば、その場合ＳＬＰ１３０は修正パラメータを使用してＳＥＴ１２０との位置探索セッションを再起動することが出来る。
【００３３】
ＳＬＰ１３０は、セッション情報クエリーを実行すべきかどうか、何時アクティブ位置探索セッションに関する位置探索サービス型のような種々の要因に基づいてセッション情報クエリーを実行すべきか、を決定することが出来る。１つの設計では、ＳＬＰ１３０は、もし位置探索情報が周期的トリガセッションに対して期待される報告間隔内に受信されないならば、セッション情報クエリーを実行することが出来る。１つの設計では、エリアイベントトリガセッションがアクティブな場合、ＳＬＰ１３０は周期的にセッション情報クエリーを実行することが出来る。ＳＬＰ１３０は又、ＳＥＴ１２０若しくはＳＬＰ１３０がセッション情報を失った可能性があるとＳＬＰ１３０が疑う場合は何時でも、セッション情報クエリーを実行することが出来る。例えば、ＳＬＰ１３０は、ＳＬＰ１３０がＳＬＰ１３０にとって未知のＳＵＰＬセッションについてのＳＵＰＬメッセージをＳＥＴ１２０から受信するならば、ＳＬＰ１３０は位置探索情報を失った、と疑うことが出来る。ＳＬＰ１３０は又、もはや有効ではあり得ない古い位置探索セッションを消去するための定期保守のために、セッション情報クエリー実行することが出来る。
【００３４】
セッション情報クエリーは、ＳＬＰ１３０が１又は複数のアクティブ位置探索セッションは半開である可能性があると疑う場合は何時でも、実行されることが出来る。セッション情報クエリーは、エリアイベントトリガセッションが進行中の場合、特に有用である、その理由は（ｉ）セッションは拡張された期間アクティブである可能性があり、（ｉｉ）ＳＥＴ１２０は予測できない方法で位置探索情報を送る可能性があり、このことはエラー状態を検出することを一層困難にする、からである。
【００３５】
図４はネットワーク起動のエリアイベントトリガサービスに対する通話流れ４００の一設計を示す。ＳＵＰＬエージェント１４０はＳＥＴ１２０についての位置探索情報を要望することが出来て、ＳＬＰ１３０にモバイルロケーションプロトコル（Mobile Location Protocol）（ＭＬＰ）トリガロケーションレポーティングリクエスト（Triggered Location Reporting Request）（ＴＬＲＲ）メッセージを送ることが出来る（ステップＡ）。ＳＬＰ１３０は前記要求された位置探索情報に対してＳＵＰＬエージェント１４０を認証および認可することが出来る。次にＳＬＰ１３０はＳＥＴ１２０についての経路情報を取得することが出来る（ステップＢ）。ＳＬＰ１３０はＳＵＰＬ  ＩＮＩＴメッセージを送ってＳＥＴ１２０とのエリアイベントトリガセッションを起動することが出来る（ステップＣ）。ＳＵＰＬ  ＩＮＩＴメッセージはエリアイベントトリガセッションに対するセッションＩＤ（ｓｅｓｓｉｏｎ−ｉｄ）、エリアイベントトリガを示すトリガ型インジケータ（ｔｒｉｇｇｅｒ＿ｔｙｐｅ）、意図される測位方法（ｐｏｓｍｅｔｈｏｄ）、ＳＬＰモード、等々を含むことが出来る。
【００３６】
ＳＥＴ１２０はＳＵＰＬ  ＩＮＩＴメッセージを受信し、データ接続セットアップ手順を実行し、自身をパケットデータネットワークに接続し、そしてＳＬＰ１３０へのセキュア接続を確立することが出来る（ステップＤ）。次にＳＥＴ１２０はＳＵＰＬ  ＴＲＩＧＧＥＲＥＤ  ＳＴＡＲＴメッセージを送ってエリアイベントトリガセッションを開始することが出来る（ステップＥ）。ＳＵＰＬ  ＴＲＩＧＧＥＲＥＤ  ＳＴＡＲＴメッセージはセッションＩＤ、現在サービスを提供するＳＥＴ１２０のセルを識別するロケーションＩＤ（location-id）（ｌｉｄ）、ＳＥＴの能力、等々を含むことが出来る。
【００３７】
ＳＬＰ１３０はＳＵＰＬ  ＴＲＩＧＧＥＲＥＤ  ＳＴＡＲＴメッセージをＳＥＴ１２０から受信することが出来て、ＳＥＴの能力を将来の使用のために記憶することが出来る。ＳＬＰ１３０は、セッションＩＤ、選択される測位方法、エリアイベントパラメータ（ｔｒｉｇｇｅｒ＿ｐａｒａｍｓ）、等々を含む、ＳＵＰＬ  ＴＲＩＧＧＥＲＥＤ  ＲＥＳＰＯＮＳＥメッセージをＳＥＴ１２０に返信することが出来る（ステップＦ）。ＳＬＰ１３０は又、トリガロケーションリクエストが受理されたことを示すために、ＭＬＰトリガロケーションレポーティングアンサー（Triggered Location Reporting Answer）（ＴＬＲＡ）メッセージをＳＵＰＬエージェント１４０に送る（ステップＧ）。ＭＬＰ  ＴＬＲＡメッセージはエリアイベントトリガセッションに対するトランザクションＩＤとして使用されるためのリクエストＩＤ（ｒｅｑ−ｉｄ）を含むことが出来る。
【００３８】
ステップＦで送られるエリアイベントパラメータは１又は複数のエリアイベントを含むことが出来る。エリアイベントは、ＳＥＴ１２０がある所定領域の内部にいること、所定領域の外部にいること、前記所定領域に入ること、前記所定領域を離れること、等々によって規定されることが出来る。エリアイベントはＳＥＴの位置に依存することが出来て、トリガされるにしても、任意の時にトリガされることが出来る。ＳＥＴ１２０におけるエリアイベントトリガメカニズムがポジションフィックスが計算されるべきであると指示する場合、ＳＥＴ１２０はＳＵＰＬ  ＰＯＳ  ＩＮＩＴメッセージを送ってＳＬＰ１３０との測位セッションを開始することが出来る（ステップＨ）。ＳＵＰＬ  ＰＯＳ  ＩＮＩＴメッセージはセッションＩＤ、ＳＥＴの能力、等々を含むことが出来る。ＳＬＰ１３０とＳＥＴ１２０は測位セッションのためのメッセージを交換することが出来て（ステップＩ）、そしてＳＬＰ１３０は位置推定値を含むＳＵＰＬ  ＲＥＰＯＲＴメッセージをＳＥＴ１２０に送ることが出来る（ステップＪ）。それに代わり、ＳＥＴ１２０は（例えば、ステップＩでＳＬＰ１３０によって送られる支援データの助けを用いて）位置推定値それ自体を得ることが出来て、ＳＬＰ１３０がステップＪでこれを提供することを必要としない。次に、ＳＥＴ１２０は位置推定値を検査して、エリアイベントトリガ条件が満たされたかどうかを判定することが出来る（ステップＫ）。もしエリアイベントがトリガされれば、次にＳＥＴ１２０は位置推定値を含むＳＵＰＬ  ＲＥＰＯＲＴメッセージをＳＬＰ１３０に送ることが出来る（ステップＬ）。次にＳＬＰ１３０は、ＭＬＰトリガロケーションレポート（Triggered Location Report）（ＴＬＲＥＰ）メッセージで、位置推定値をＳＵＰＬ  エージェント１４０に転送することが出来る（ステップＭ）。
【００３９】
エリアイベントトリガセッション期間中の任意の時に（例えば、ＳＬＰ１３０がエリアイベントトリガセッションは半開の可能性があると疑うアイドル期間の後）、ＳＬＰ１３０はセッション情報クエリーセッションを起動することが出来る（ステップＸ）。このセッション情報クエリーセッションはエリアイベントトリガセッションとは独立であることが出来て、独立したセッションＩＤを割り当てられることが出来る。セッション情報クエリーセッションはエリアイベントトリガセッションの期間中任意の時に行われることが出来て、エリアイベントトリガセッションとは同時並列であることが出来る。ステップＸでのセッション情報クエリーセッションは図３における通話流れ３００を用いて実施されることが出来る。エリアイベントトリガセッションの期間中、任意の数のセッション情報クエリーセッションが実行されることが出来る。
【００４０】
ステップＨからステップＭまでは適宜繰返されることが出来る。エリアイベントトリガセッションに対する最後のレポートが送られた場合、ＳＬＰ１３０は、エリアイベントトリガセッションを終了するために、ＳＵＰＬ  ＥＮＤメッセージをＳＥＴ１２０に送ることが出来る（ステップＯ）。
【００４１】
ＳＬＰ１３０は、上記で説明されたように、アクティブ位置探索セッションについての情報を得るためにセッション情報クエリーを実行することが出来る。ＳＬＰ１３０は又ＳＥＴ１２０の能力についての情報を得るためにセッション情報クエリーを実行することも出来る。ＳＥＴ能力は１又は複数のクラスマーク（classmark）又は何か他の形式で伝達されることが出来る。ＳＬＰ１３０は、例えばＳＥＴ１２０に送られるＳＵＰＬ  ＩＮＩＴメッセージ中の所定のパラメータ値を使用することによって、ＳＥＴの能力に関して明示的に問い合わせることが出来る。ＳＥＴ１２０は、ＳＬＰ１３０によって明示的に要求された場合、及び／又は、例えば前記ＳＥＴの能力の変更のため、ＳＥＴ１２０によって決定された場合、自身の能力を返信することが出来る。どのような場合にせよ、ＳＬＰ１３０は前記ＳＥＴの能力の記録を保持することが出来て、ＳＥＴ１２０から前記ＳＥＴの能力についての情報が受信される場合は何時でも、この記録を更新することが出来る。このことは、利用者のメニュー機能使用、物理ＳＥＴ装置の変更、等々によって、ＳＥＴの能力が変更される場合、有用であり得る。例えば、利用者は物理ＳＥＴ装置を変更することが出来るが、しかし、汎用加入者識別モジュール（Universal Subscriber Identity Module）（ＵＳＩＭ）、加入者識別モジュール（Subscriber Identity Module）（ＳＩＭ）、汎用ＩＣカード（Universal Integrated Circuit Card）（ＵＩＣＣ）を１つのＳＥＴ装置から取り外して、それを異なる能力を有する別のＳＥＴ装置に取り付けることによって、同一のＳＥＴアイデンティティを保持することが出来る。
【００４２】
図３で示される設計では、セッション情報クエリーセッションは測位方法パラメータに対する所定値によって識別されることが出来て、これは、（図３で示されるように）ＳＵＰＬ  ＩＮＩＴメッセージ中に又は何か他のＳＵＰＬメッセージ中に含まれることが出来る。表２はセッション情報クエリーをサポートするための測位方法パラメータの一設計を示す。セッション情報クエリーセッションは又他の方法で識別されることも出来る。
【表２】
0005583729.tif 000003
【００４３】
図５はＳＥＴ１２０についての情報を送るためのＳＵＰＬメッセージ５００（例えば、ＳＵＰＬ  ＲＥＰＯＲＴメッセージ）の一設計を示す。この設計では、ＳＵＰＬメッセージ５００はセッションリストパラメータ、ＳＥＴ能力パラメータ、及び簡明を期するため図５では示されない恐らく他のパラメータを含む。セッションリストパラメータはＮ個のアクティブ位置探索セッションに対するＮ個のセッションＩＤを含むことが出来る、ここでＮはゼロ以上であり得る。
【００４４】
ＳＥＴ能力パラメータは測位技術パラメータ、好ましい方法パラメータ、測位プロトコルパラメータ、サービス能力パラメータ、及び簡明を期するため図５では示されない恐らく他のパラメータを含むことが出来る。測位技術パラメータはＳＥＴ１２０によってサポートされるゼロ個以上の測位方法を特定することが出来る。好ましい方法パラメータはＳＥＴ１２０によって好ましいとされる測位方法を特定することが出来る。測位プロトコルパラメータはＳＥＴ１２０によってサポートされるゼロ個以上の測位プロトコル、例えばＲＲＬＰ、ＲＲＣ、ＴＩＡ−８０１、等々、を特定することが出来る。
【００４５】
サービス能力パラメータは、サービスサポーテッドパラメータ、報告能力パラメータ、セッション能力パラメータ、エリアイベント能力パラメータ、及び簡明を期するため図５では示されない恐らく他のパラメータを含むことが出来る。サービスサポーテッドパラメータはＳＥＴ１２０によってサポートされる位置探索サービス、例えば周期的トリガ、エリアイベントトリガ、等々を規定することが出来る。報告能力パラメータはＳＥＴ１２０の報告能力を規定することが出来る。セッション能力パラメータはＳＥＴ１２０のセッション能力、例えば周期的トリガセッションの最大数、エリアイベントトリガセッションの最大数、及びＳＥＴ１２０によってサポートされる同時並列位置探索セッションの総数、を規定することが出来る。エリアイベント能力パラメータはＳＥＴ１２０のエリアイベント能力を規定することが出来る。
【００４６】
表３はＳＵＰＬ  ＲＥＰＯＲＴメッセージの一設計を示す。メッセージはＳＥＴ１２０によって、ＳＬＰ１３０からのセッション情報クエリーへの応答において使用されることが出来る。表３では、プレゼンス欄における“Ｏ”はオプションのパラメータを示す。ＳＵＰＬ  ＲＥＰＯＲＴメッセージは全てのアクティブ位置探索セッションのセッションＩＤのリストを含むことが出来る。ＳＵＰＬ  ＲＥＰＯＲＴメッセージは又ＳＥＴ能力及び／又は簡明を期するため表３では示されないが前述のＯＭＡ−ＴＳ−ＵＬＰ−Ｖ２の文書に記載される他のパラメータを含むことが出来る。ＳＵＰＬ  ＲＥＰＯＲＴメッセージは又、例えば、測位処理手順の終了を示すためにＳＬＰ１３０によって、トリガセッション期間中ＳＬＰ１３０に測定値を送るためにＳＥＴ１２０によって、トリガセッション期間中ＳＥＴ１２０に測位結果を送るためにＳＬＰ１３０によって、等々の他の目的のために使用されることが出来る。
【表３】
0005583729.tif 000004
【００４７】
別の態様では、ＳＥＴ１２０は、拡張された継続期間の位置探索セッションがＳＬＰ１３０に関して尚進行中の可能性がある場合、セッション情報更新を実行することが出来る。セッション情報更新のために、ＳＥＴ１２０は、アクティブ位置探索セッションについての情報及び／又はＳＥＴの能力についての情報を送ることが出来る。アクティブ位置探索セッションについての情報は、セッションＩＤのリスト、前記アクティブ位置探索セッションに対する位置探索サービスの型、セッション固有のパラメータ、等々を含むことが出来る。
【００４８】
１つの設計では、ＳＥＴ１２０は、ＳＥＴ１２０における位置関連の情報がＳＬＰ１３０における位置関連の情報と依然として適合しているということを確認するために、ＳＬＰ１３０に更新メッセージを送ることが出来る。ＳＥＴ１２０は、（ｉ）前記ＳＥＴの能力が変わる場合、（ｉｉ）ＳＥＴ１２０が、期間Ｔ又はそれ以上の間ＳＬＰ１３０とそれに対して何のメッセージも交換していない位置探索セッションに関与している場合、（ｉｉｉ）何か他の条件が満たされる場合、更新メッセージを送ることが出来る。Ｔは所望の更新頻度を得るための適切な値に設定されることが出来る。例えば、ＴはＳＬＰ１３０によってＳＥＴ１２０に供給されることが出来る、又は、ＳＥＴ１２０における既定の値に設定されることが出来る。Ｔは又ＳＬＰ１３０によって予約された値（例えば、全て１）に設定されて、ＳＥＴ１２０が条件（ｉｉ）を理由に更新メッセージを送ることを止めることが出来る、従って、ＳＬＰ１３０はＳＥＴ１２０からの更新メッセージを受信することを避けることができる。
【００４９】
ＳＬＰ１３０は、もしＳＥＴ１２０が接続性を有するならばＳＥＴ１２０中に少なくとも１つのアクティブ位置探索セッションがある場合、最大時間間隔ＴでＳＥＴ１２０から更新メッセージを受信することが出来る。次にＳＬＰ１３０は何れのＳＵＰＬセッションが上記で説明されたような半開であるかを決定することが出来て、これ等のセッションを終了するか若しくは再起動するか何れかを行うことが出来る。もしＳＬＰ１３０がＴより長い期間更新メッセージを受信していなかったならば、その場合ＳＬＰ１３０はセッション情報クエリーを実行することが出来るか、又は、ＳＬＰ１３０には既知の各アクティブ位置探索セッションに対するＳＵＰＬ  ＥＮＤメッセージを送ることによってＳＥＴ１２０との全てのアクティブ位置探索セッションを終了することが出来る。ＳＬＰ１３０は又ＳＵＰＬメッセージ（例えば、ＳＵＰＬ  ＥＮＤメッセージ）をＳＥＴ１２０に送って、ＳＥＴ１２０ではアクティブであるがＳＬＰ１３０ではアクティブではないセッションを含み、ＳＥＴ１２０には既知の全てのアクティブ位置探索セッションを終了させることが出来る。もしＳＬＰ１３０がＳＥＴ１２０にＳＵＰＬ  ＥＮＤメッセージを送ることが出来ないならば、その場合ＳＬＰ１３０は、ＳＥＴ１２０は接続性を有してない又は電源切断されている、と見なすことが出来る。ＳＬＰ１３０は追加の時間間隔（例えば、時間間隔Ｔ）の間待つことが出来て、そして、もしこの時間間隔の間にＳＥＴ１２０から何も受信されなければ、それぞれのアクティブ位置探索セッションを終了することを再び試みることが出来る。
【００５０】
１つの設計では、ＳＥＴ１２０は、ＳＵＰＬ  ＵＰＤＡＴＥメッセージをＳＬＰ１３０に送ることによって、セッション情報更新セッションを起動することが出来る。ＳＵＰＬ  ＵＰＤＡＴＥメッセージはアクティブセッションを有していなくても送られるのに対して、ＳＵＰＬ  ＲＥＰＯＲＴメッセージはアクティブセッション期間中に送られることが出来る。ＳＥＴ１２０は、ＳＵＰＬ  ＵＰＤＡＴＥメッセージにおいて、アクティブ位置探索セッションについての情報及び／又はＳＥＴ能力についての情報を提供することが出来る。ＳＬＰ１３０は、ＳＵＰＬ  ＥＮＤメッセージをＳＥＴ１２０に送ることによって、セッション情報更新セッションを終了させることが出来る。セッション情報更新セッションは又他のメッセージシーケンスを用いて実施されることも出来る。
【００５１】
図６は位置探索サービスをサポートするために位置探索サーバ（例えば、ＳＬＰ）によって実行される処理６００の一設計を示す。位置探索サーバは、アクティブ位置探索セッションについての情報を問い合わせるために、端末にクエリーメッセージを送ることが出来る（ブロック６１２）。位置探索サーバはアクティブ位置探索セッションについての情報を含む応答メッセージを前記端末から受信することが出来る（ブロック６１４）。１つの設計では、クエリーメッセージは、セッション情報クエリーセッションを示す所定値に設定された測位方法パラメータを含むＳＵＰＬ  ＩＮＩＴメッセージであることが出来る。１つの設計では、応答メッセージはアクティブ位置探索セッションについての情報を含むＳＵＰＬ  ＲＥＰＯＲＴメッセージであることが出来る。クエリーメッセージと応答メッセージはＳＵＰＬ又は何か他のロケーションアーキテクチャにおける他のメッセージであることも出来る。アクティブ位置探索セッションについての情報は、アクティブ位置探索セッションに対するセッションＩＤのリスト、アクティブ位置探索セッションのためのパラメータ、端末の能力、及び／又は他の情報を含むことが出来る。
【００５２】
位置探索サーバは、サーバが周期的トリガサービス又はエリアイベントトリガサービスのための少なくとも１つの位置探索セッションがアクティブであることを疑う場合、クエリーメッセージを送ることが出来る。１つの設計では、位置探索サーバは、もし周期的トリガサービスのためのアクティブ位置探索セッションに対して期待される報告間隔内に位置探索情報が端末から受信されないならば、クエリーメッセージを送ることが出来る。別の設計では、位置探索サーバは、もしエリアイベントトリガサービスのためのアクティブ位置探索セッションがあるならば、周期的にクエリーメッセージを送ることが出来る。更に別の設計では、位置探索サーバは、もし位置探索情報が前記位置探索サーバにとって未知の位置探索セッションに対して端末から受信されるならば、クエリーメッセージを送ることが出来る。位置探索サーバは又他の理由のためにクエリーメッセージを送ることが出来る。位置探索サーバはセッション情報クエリーセッションに対するクエリーメッセージを送ることが出来て、クエリーメッセージ送ると同時にタイマーを開始することが出来る。位置探索サーバは、もし応答メッセージが前記タイマーの期限切れの前に端末から受信されなければ、セッション情報クエリーセッションを終了させることが出来る。
【００５３】
位置探索サーバは、端末のみで若しくは位置探索サーバのみでアクティブであると思われる位置探索セッションを終了させることが出来て、応答メッセージで受信された情報と位置探索サーバで蓄積された情報とに基づいて、この位置探索セッションを特定することが出来る（ブロック６１６）。位置探索サーバは端末と位置探索サーバでは適合しないパラメータを有する位置探索セッションを再起動若しくは終了させることが出来て、受信された情報と蓄積された情報に基づいてこの位置探索セッションを特定することが出来る（ブロック６１８）。
【００５４】
図７は位置探索サービスをサポートするために端末（例えば、ＳＥＴ）によって実行される処理７００の一設計を示す。端末は、アクティブ位置探索セッションについての情報を問い合わせるためのクエリーメッセージを位置探索サーバから受信することが出来る（ブロック７１２）。端末は、例えば、周期的トリガサービス若しくはエリアイベントトリガサービスのための少なくとも１つの位置探索セッションがアクティブであることを位置探索サーバによって疑われる場合、クエリーメッセージを受信することが出来る。端末はアクティブ位置探索セッションについての情報を含む応答メッセージを位置探索サーバに送ることが出来る（ブロック７１４）。１つの設計では、クエリーメッセージは、セッション情報クエリーセッションを示す所定値に設定された測位方法パラメータを含むＳＵＰＬ  ＩＮＩＴメッセージであることが出来る。１つの設計では、応答メッセージはアクティブ位置探索セッションについての情報を含むＳＵＰＬ  ＲＥＰＯＲＴメッセージであることが出来る。アクティブ位置探索セッションについての情報はアクティブ位置探索セッションに対するセッションＩＤのリスト、アクティブ位置探索セッションのためのパラメータ、端末の能力、及び／又は他の情報を含むことが出来る。端末は端末の能力についての情報を、もし位置探索サーバによって要求されるならば、もし能力が位置探索サーバに最後に報告されて以後変化したならば、等々の場合、送ることが出来る。
【００５５】
その後、端末は、端末ではアクティブであるが位置探索サーバではアクティブではないと思われ、且つ、応答メッセージでの情報に基づいて特定された、位置探索セッションを終了させるメッセージを位置探索サーバから受信することが出来る（ブロック７１６）。端末は、端末と位置探索サーバとで適合しないパラメータを有し、且つ、応答メッセージでの情報に基づいて特定された、位置探索セッションを再起動または終了させるためのメッセージを位置探索サーバから受信することが出来る（ブロック７１８）。端末は位置探索サーバによって終了させられた全ての位置探索セッションを消去することが出来て、位置探索サーバによって再起動されたそれぞれの位置探索セッションをリセットすることが出来る。
【００５６】
図８は位置探索サービスをサポートするために端末（例えば、ＳＥＴ）によって実行される処理８００の一設計を示す。端末は、端末についての位置探索関連情報を含む、更新メッセージを生成することが出来る（ブロック８１２）。端末は、更新メッセージを位置探索サーバに送って、端末についての位置探索関連情報を用いて位置探索サーバを更新することが出来る（ブロック８１４）。端末は端末によって起動されたセッション情報更新セッションのための更新メッセージを送ることが出来る。１つの設計では、端末についての位置探索関連情報はアクティブ位置探索セッションについての情報を含むことが出来る。端末は、もしアクティブ位置探索セッションに対する所定の期間内に位置探索サーバと何のメッセージも交換されていなければ、更新メッセージを送ることが出来る。端末は、位置探索サーバによって別に指示されていない限り、更新メッセージを周期的に送ることが出来る。別の設計では、端末についての位置探索関連情報は端末の能力についての情報を含むことが出来る。端末は、もし端末の能力が位置探索サーバに最後に報告された以後変化したならば、更新メッセージを送ることが出来る。
【００５７】
図９は位置探索サービスをサポートするために位置探索サーバ（例えば、ＳＬＰ）によって実行される処理９００の一設計を示す。位置探索サーバは端末についての位置探索関連情報を含む更新メッセージを受信することが出来るが、更新メッセージは位置探索サーバからの要請なしに端末から受信される（ブロック９１２）。端末についての位置探索関連情報はアクティブ位置探索セッションについての情報、端末の能力についての情報、等々を含むことが出来る。位置探索サーバは、更新メッセージ中の位置探索関連情報を用いて、位置探索サーバにおける端末についての位置探索関連情報を更新することが出来る（ブロック９１４）。位置探索サーバは端末からの更新メッセージを周期的に受信することが出来る。位置探索サーバは又端末に更新メッセージを送ることを止めるように指示することも出来る。
【００５８】
図１０は、図１における、無線ネットワーク１１０、端末／ＳＥＴ１２０、及び位置探索サーバ／ＳＬＰ１３０の一設計のブロック図を示す。簡明を期するため、図１０は、端末１２０に関して、唯１つのコントローラ／プロセッサ１０２０、１つのメモリ１０２２、及び１つの送信機／受信機（ＴＭＴＲ／ＲＣＶＲ）１０２４、無線ネットワーク１１０に関して、唯１つのコントローラ／プロセッサ１０３０、１つのメモリ１０３２、１つの送信機／受信機１０３４、及び１つの通信（Ｃｏｍｍ）ユニット１０３６、そしてＳＬＰ１３０に関して、唯１つのコントローラ／プロセッサ１０４０、１つのメモリ１０４２、及び１つの通信ユニット１０４４、を図示する。一般には、それぞれのエンティティは任意の数のプロセッサ、コントローラ、メモリ、送信機／受信機、通信ユニット、等々を含むことが出来る。端末１２０は１又は複数の無線ネットワーク及び／又は有線ネットワークとの通信をサポートすることが出来る。端末１２０は又、１又は複数の衛星測位システム、例えば、ＧＰＳ、ガリレオ、等々から、信号を受信して処理することが出来る。
【００５９】
ダウンリンクでは、無線ネットワーク１１０は、その通信範囲内の端末に、トラフィックデータ、シグナリング、及びパイロットを送信することが出来る。これ等の多様な型の情報はプロセッサ１０３０によって処理され、送信機１０３４によって調整されてダウンリンクで送信される。端末１２０では、無線ネットワーク１１０からのダウンリンク信号は受信機１０２４によって受信および処理され、プロッセッサ１０２０によって更に処理されて種々の型の情報を取得する。プロセッサ１０２０は図７における処理７００、図８における処理８００、及び／又は本明細書記載の技術のための他の処理を実行することが出来る。メモリ１０２２と１０３２は、それぞれ端末１２０と無線ネットワーク１１０に対する、プログラムコードとデータを記憶することが出来る。アップリンクでは、端末１２０は無線ネットワーク１１０にトラフィックデータ、シグナリング、及びパイロットを送信することが出来る。これ等の多様な型の情報はプロセッサ１０２０によって処理され、送信機１０２４によって調整されて、アップリンクで送信される。無線ネットワーク１１０では、端末１２０とその他の端末からのアップリンク信号は受信機１０３４によって受信および処理され、プロッセッサ１０３０によって更に処理されて、端末からの種々の型の情報を取得する。無線ネットワーク１１０は通信ユニット１０３６を介して直接的に又は間接的にＳＬＰ１３０と通信することが出来る。
【００６０】
ＳＬＰ１３０の内部では、プロセッサ１０４０は端末のための位置探索サービスをサポートするために処理することを実行することが出来る。例えば、プロセッサ１０４０は図６における処理６００、図９における処理９００、及び／又は本明細書記載の技術のための他の処理を実行することが出来る。プロセッサ１０４０は又端末１２０に対する位置推定値を計算し、ＳＵＰＬエージェント１４０等々に位置探索情報を提供することが出来る。メモリ１０４２はＳＬＰ１３０に対するプログラムコードとデータを記憶することが出来る。通信ユニット１０４４はＳＬＰ１３０が無線ネットワーク１１０、端末１２０、及び／又は他のネットワーク構成要素と通信することを可能にすることが出来る。ＳＬＰ１３０と端末１２０はユーザプレーン（例えば、ＳＵＰＬ）を介してメッセージを交換することが出来て、これ等のメッセージは無線ネットワーク１１０及び／又は有線ネットワーク１１２によって伝送されることが出来る。
【００６１】
当業者は情報と信号は任意の種々の異なる基本技術と応用技術を使用して表されることが出来ることを理解する。例えば、上記の説明全体に亘って参照されることが出来る、データ、指示、命令、情報、信号、ビット、シンボル、及び、チップは、電圧、電流、電磁波、磁場又は磁性粒子、光学的場又は光学粒子，或はこれ等の任意の組合せ、により表されることが可能である。
【００６２】
当業者は更に、本明細書における開示と関連して説明された種々の例示的な論理ブロック、モジュール、回路、及びアルゴリズムステップはエレクトロニックハードウェア、コンピュータソフトウェア、或は両者の組合せとして実装されることが可能であること、を認識する。ハードウェアとソフトウェアのこの交換可能性を明確に説明するために、種々の例示的なコンポーネント、ブロック、モジュール、回路、及びステップは上記において一般にそれ等の機能性を表す言葉で説明された。このような機能性がハードウェアとして実装されるか或はソフトウェアとして実装されるかは、システム全体に課される具体的な応用上及び設計上の制約に依存する。当業者は説明された機能性を個々の具体的な応用に対して種々の方法で実装することが出来るが、そのような実装上の解決は本開示の範囲からの逸脱をもたらすので、解釈されるべきではない。
【００６３】
本明細書における開示と関連して説明された種々の例示的な論理ブロック、モジュール、及び回路は、汎用プロセッサ、デジタル信号処理装置（ＤＳＰ）、特定用途向け集積回路（ＡＳＩＣ）、フィールドプログラマブルゲートアレイ（ＦＰＧＡ）若しくは他のプログラム可能な論理デバイス、ディスクリートゲート若しくはトランジスタロジック、ディスクリートハードウェアコンポーネント、又は本明細書に記載された機能を実行するために設計されたそれ等の任意の組合せ、を用いて実現又は実行されることが出来る。汎用プロセッサはマイクロプロセッサであって良い、しかし、その代わりに、プロセッサは任意の通常のプロセッサ、コントローラ、マイクロコントローラ、又はステートマシンであって良い。プロセッサは又、計算する装置の組合せ、例えば、ＤＳＰとマイクロプロセッサの組合せ、複数のマイクロプロセッサ、ＤＳＰコアと結合された１又は複数のマイクロプロセッサ、又は任意の他のこのような構成、として実現されることも可能である。
【００６４】
本明細書における開示と関連して説明された方法もしくはアルゴリズムのステップは、直接ハードウェアにおいて、プロセッサにより遂行されるソフトウェアモジュールにおいて、又は両者の組合せにおいて、具体化されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードデイスク、リムーバブルディスク、ＣＤ−ＲＯＭ、或は当業には公知の他の任意の記憶媒体形式、中に常駐することが出来る。ある一実例の記憶媒体はプロセッサに結合され、従ってプロセッサは前記記憶媒体から情報を読み、記憶媒体に情報を書くことが出来る。それに代わって、記憶媒体はプロセッサと一体になることも出来る。プロセッサと記憶媒体はＡＳＩＣの中に常駐することが可能である。前記ＡＳＩＣは利用者端末中に常駐することが出来る。それに代わって、プロセッサと記憶媒体は利用者端末中で個別的コンポーネントとして常駐することが可能である。
【００６５】
１又は複数の実例の設計では、説明された機能はハードウェア、ソフトウェア、ファームウェア、又はこれ等の任意の組合せにおいて実装されることが出来る。もしソフトウェアで実装される場合、前記機能はコンピュータ可読媒体上に記憶されるか、或いはコンピュータ可読媒体上の１又は複数の命令もしくはコードとして伝送されることが出来る。コンピュータ可読媒体は、コンピュータ記憶媒体と、コンピュータプログラムの１つの場所から別の場所への伝送に資する任意の媒体を含む、通信媒体の双方を含む。記憶媒体は汎用もしくは専用コンピュータによってアクセスされることが出来る任意の入手可能な媒体であることが出来る。限定としてではなく実例として、そのようなコンピュータ可読媒体は、ＲＡＭ、ＲＯＭ、ＥＥＰＲＯＭ、ＣＤ−ＲＯＭ若しくは他の光学ディスクストレージ、磁気ディスクストレージ若しくは他の磁気記憶装置、或いは、所望のプログラムコード手段を命令もしくはデータ構造の形式で搬送もしくは記憶するために使用されることが出来る、及び汎用もしくは専用コンピュータ又は汎用もしくは専用プロセッサによってアクセスされることが出来る、任意の他の媒体を含むことが出来る。又、任意の接続は適切にコンピュータ可読媒体と呼ばれる。例えば、もしソフトウェアがウェブサイト、サーバ、又は、他の遠隔情報源から、同軸ケーブル、光ファイバケーブル、ツイストペア、デジタル加入者線（ＤＳＬ）、又は、赤外線、無線波およびマイクロ波のような無線技術を使用して、伝送されるならば、その場合前記同軸ケーブル、光ファイバケーブル、ツイストペア、ＤＳＬ、又は、赤外線、無線波およびマイクロ波のような無線技術は、媒体の定義中に含まれる。本明細書で使用される、ディスク（ｄｉｓｋ及びｄｉｓｃ）は、コンパクトディスク（ＣＤ）、レーザディスク、光学ディスク、デジタル多用途ディスク（digital versatile disc）（ＤＶＤ）、フロッピー（登録商標）ディスク及びブルーレイディスクを含み、ここでｄｉｓｋは通常データを磁気的に再生するが、他方、ｄｉｓｃはデータをレーザを用いて光学的に再生する。上記の組合せも又コンピュータ可読媒体の範囲の中に含まれるべきである。
【００６６】
本開示の前述の説明は、当業者の誰もが本開示を作る又は利用することを可能にするために提供される。本開示への様々な修正は、当業者には容易に明らかであり、そして本明細書中で明確にされた包括的な原理は、本開示の範囲から逸脱することなく他の変型に適用されることが可能である。かくして、本開示は、本明細書中で説明される実例と設計に限定されることを意図されるのではなく、本明細書中に開示された原理及び新規性と首尾一貫する最も広い範囲を認容されるべきである。
以下、本願の出願当初の特許請求の範囲に記載の発明を付記する。  
（１）  アクティブ位置探索セッションについての情報を問い合わせるために位置探索サーバから端末にクエリーメッセージを送ることと、
前記端末から前記アクティブ位置探索セッションについての前記情報を含む応答メッセージを受信することと、
を備える位置探索サービスをサポートする方法。
（２）  前記クエリーメッセージを送ることは、セッション情報クエリーセッションを示す所定値に設定された測位方法パラメータを含むセキュアユーザプレーンロケーション（ＳＵＰＬ）ＩＮＩＴメッセージを送ることを備え、前記応答メッセージを受信することは、前記アクティブ位置探索セッションについての前記情報を含むＳＵＰＬ  ＲＥＰＯＲＴメッセージを受信することを備える、上記（１）の方法。
（３）  前記アクティブ位置探索セッションについての前記情報は前記アクティブ位置探索セッションに対するセッション識別子（ＩＤ）のリストを備える、上記（１）の方法。
（４）  前記アクティブ位置探索セッションについての前記情報は前記アクティブ位置探索セッションのためのパラメータを備える、上記（１）の方法。
（５）  前記応答メッセージは前記端末の能力についての情報を更に備える、上記（１）の方法。
（６）  前記クエリーメッセージを送ることは、周期的トリガサービス若しくはエリアイベントトリガサービスのための少なくとも１つの位置探索セッションがアクティブであることを前記位置探索サーバによって疑われる場合に、前記クエリーメッセージを送ることを備える、上記（１）の方法。
（７）  前記クエリーメッセージを送ることは、周期的トリガサービスのためのアクティブ位置探索セッションに対して期待される報告時間間隔内に、位置探索情報が前記端末から受信されないならば、前記クエリーメッセージを送ることを備える、上記（１）の方法。
（８）  前記端末のみで若しくは前記位置探索サーバのみでアクティブであると思われる位置探索セッションを、前記応答メッセージ中の前記情報と前記位置探索サーバで蓄積されている情報に基づいて特定することと、
前記特定された位置探索セッションを終了させることと、
を更に備える、上記（１）の方法。
（９）  前記端末と前記位置探索サーバでは適合しないパラメータを有する位置探索セッションを、前記応答メッセージ中の前記情報と前記位置探索サーバで蓄積されている情報に基づいて特定することと、
前記特定された位置探索セッションを再起動もしくは終了させることと、
を更に備える、上記（１）の方法。
（１０）  セッション情報クエリーセッションのための前記クエリーメッセージを送ると同時にタイマーを起動することと、
応答メッセージが前記端末から前記タイマーの期限の前に受信されないならば、前記セッション情報クエリーセッションを終了させることと、
を更に備える、上記（１）の方法。
（１１）  アクティブ位置探索セッションについての情報を問い合わせるために位置探索サーバから端末にクエリーメッセージを送るための手段と、
前記端末から前記アクティブ位置探索セッションについての前記情報を含む応答メッセージを受信するための手段と、
を備える位置探索サービスをサポートするための装置。
（１２）  前記クエリーメッセージを送るための手段は、セッション情報クエリーセッションを示す所定値に設定された測位方法パラメータを含むセキュアユーザプレーンロケーション（ＳＵＰＬ）ＩＮＩＴメッセージを送るための手段を備え、前記応答メッセージを受信するための手段は、前記アクティブ位置探索セッションについての前記情報を含むＳＵＰＬ  ＲＥＰＯＲＴメッセージを受信するための手段を備える、上記（１１）の装置。
（１３）  前記アクティブ位置探索セッションについての前記情報は前記アクティブ位置探索セッションに対するセッション識別子（ＩＤ）のリストを備える、上記（１１）の装置。
（１４）  前記応答メッセージは前記端末の能力についての情報を更に備える、上記（１１）の装置。
（１５）  前記クエリーメッセージを送るための手段は、周期的トリガサービス若しくはエリアイベントトリガサービスのための少なくとも１つの位置探索セッションがアクティブであることを前記位置探索サーバによって疑われる場合に、前記クエリーメッセージを送るための手段を備える、上記（１１）の装置。
（１６）  前記端末のみで若しくは前記位置探索サーバのみでアクティブであると思われる位置探索セッションを、前記応答メッセージ中の前記情報と前記位置探索サーバで蓄積されている情報に基づいて特定するための手段と、
前記特定された位置探索セッションを終了させるための手段と、
を更に備える、上記（１１）の装置。
（１７）  アクティブ位置探索セッションについての情報を問い合わせるために位置探索サーバから端末にクエリーメッセージを送るように、及び、前記端末から前記アクティブ位置探索セッションについての前記情報を含む応答メッセージを受信するように構成される少なくとも１つのプロセッサを備える位置探索サービスをサポートするための装置。
（１８）  前記少なくとも１つのプロセッサは、セッション情報クエリーセッションを示す所定値に設定された測位方法パラメータを含むセキュアユーザプレーンロケーション（ＳＵＰＬ）ＩＮＩＴメッセージを前記クエリーメッセージとして送るように、及び、前記アクティブ位置探索セッションについての前記情報を含むＳＵＰＬ  ＲＥＰＯＲＴメッセージを前記応答メッセージとして受信するように構成される、上記（１７）の装置。
（１９）  前記少なくとも１つのプロセッサは、前記アクティブ位置探索セッションについての前記情報から、前記アクティブ位置探索セッションに対するセッション識別子（ＩＤ）のリストを取得するように構成される、上記（１７）の装置。
（２０）  前記少なくとも１つのプロセッサは、前記応答メッセージから、前記端末の能力についての情報を受信するように構成される、上記（１７）の装置。
（２１）  前記少なくとも１つのプロセッサは、周期的トリガサービス若しくはエリアイベントトリガサービスのための少なくとも１つの位置探索セッションがアクティブであることを前記位置探索サーバによって疑われる場合に、前記クエリーメッセージを送るように構成される、上記（１７）の装置。
（２２）  前記少なくとも１つのプロセッサは、前記端末のみで若しくは前記位置探索サーバのみでアクティブであると思われる位置探索セッションを、前記応答メッセージ中の前記情報と前記位置探索サーバで蓄積されている情報に基づいて特定するように、及び、前記特定された位置探索セッションを終了させるように構成される、上記（１７）の装置。
（２３）  少なくとも１つのコンピュータに、アクティブ位置探索セッションについての情報を問い合わせるために、位置探索サーバから端末にクエリーメッセージを送らせるためのコードと、
前記少なくとも１つのコンピュータに前記端末から前記アクティブ位置探索セッションについての前記情報を含む応答メッセージを受信させるためのコードと、
を備えるコンピュータ可読媒体、
を備えるコンピュータプログラム製品。
（２４）  アクティブ位置探索セッションについての情報を問い合わせるために位置探索サーバから端末へ送られたクエリーメッセージを受信することと、
前記アクティブ位置探索セッションについての前記情報を含む応答メッセージを前記位置探索サーバに送ることと、
を備える位置探索サービスをサポートする方法。
（２５）  前記クエリーメッセージを受信することは、セッション情報クエリーセッションを示す所定値に設定された測位方法パラメータを含むセキュアユーザプレーンロケーション（ＳＵＰＬ）ＩＮＩＴメッセージを受信することを備え、前記応答メッセージを送ることは、前記アクティブ位置探索セッションについての前記情報を含むＳＵＰＬ  ＲＥＰＯＲＴメッセージを送ることを備える、上記（２４）の方法。
（２６）  前記アクティブ位置探索セッションについての前記情報は前記アクティブ位置探索セッションに対するセッション識別子（ＩＤ）のリストを備える、上記（２４）の方法。
（２７）  前記応答メッセージは前記端末の能力についての情報を更に備える、上記（２４）の方法
（２８）  前記クエリーメッセージを受信することは、周期的トリガサービス若しくはエリアイベントトリガサービスのための少なくとも１つの位置探索セッションがアクティブであることを前記位置探索サーバによって疑われる場合に、前記クエリーメッセージを受信することを備える、上記（２４）の方法。
（２９）  前記端末ではアクティブであるが前記位置探索サーバではアクティブでないと思われる位置探索セッションを終了させるためのメッセージを前記位置探索サーバから受信することを更に備え、前記位置探索セッションは前記応答メッセージ中の前記情報に基づいて特定される、上記（２４）の方法。
（３０）  前記端末と前記位置探索サーバでは適合しないパラメータを有する位置探索セッションを再起動もしくは終了させるためのメッセージを前記位置探索サーバから受信することを更に備え、前記位置探索セッションは前記応答メッセージ中の前記情報に基づいて特定される、上記（２４）の方法。
（３１）  アクティブ位置探索セッションについての情報を問い合わせるために位置探索サーバから端末に送られたクエリーメッセージ受信するように、及び、前記アクティブ位置探索セッションについての前記情報を含む応答メッセージを前記位置探索サーバに送るように構成される少なくとも１つのプロセッサを備える位置探索サービスをサポートするための装置。
（３２）  前記少なくとも１つのプロセッサは、セッション情報クエリーセッションを示す所定値に設定された測位方法パラメータを含むセキュアユーザプレーンロケーション（ＳＵＰＬ）ＩＮＩＴメッセージを前記クエリーメッセージとして受信するように、及び、前記アクティブ位置探索セッションについての前記情報を含むＳＵＰＬ  ＲＥＰＯＲＴメッセージを前記応答メッセージとして送るように構成される、上記（３１）の装置。
（３３）  前記アクティブ位置探索セッションについての前記情報は前記アクティブ位置探索セッションに対するセッション識別子（ＩＤ）のリストを備える、上記（３１）の装置。
（３４）  前記応答メッセージは前記端末の能力についての情報を更に備える、上記（３１）の装置。
（３５）  端末に関する位置探索関連情報を含む更新メッセージを生成することと、
前記端末に関する前記位置探索関連情報を用いて位置探索サーバを更新するために、前記位置探索サーバからの要請なしで、位置探索サーバに前記更新メッセージを送ることと、
を備える位置探索サービスをサポートする方法。
（３６）  前記端末に関する前記位置探索関連情報はアクティブ位置探索セッションについての情報を備え、前記更新メッセージを送ることは、アクティブ位置探索セッションに対する所定の期間内に前記位置探索サーバと何のメッセージも交換されていなければ、前記更新メッセージを送ることを備える、上記（３５）の方法。
（３７）  位置探索サーバによって別に指示されていない限り、前記更新メッセージを周期的に送ることを更に備える、上記（３６）の方法。
（３８）  前記端末に関する前記位置探索関連情報は前記端末の能力についての情報を備え、前記更新メッセージを送ることは、前記端末の能力が前記位置探索サーバに最後に報告された以後変化したならば、前記更新メッセージを送ることを備える、上記（３５）の方法。
（３９）  端末に関する位置探索関連情報を含む更新メッセージを受信することと、ここで、前記更新メッセージは、位置探索サーバからの要請なしで前記端末から受信される、
前記位置探索サーバにおける前記端末に関する位置探索関連情報を、前記更新メッセージ中の前記位置探索関連情報を用いて更新することと、
を備える位置探索サービスをサポートする方法。
（４０）  前記端末に関する前記位置探索関連情報は、アクティブ位置探索セッションについての情報と前記端末の能力についての情報の内、少なくとも１つを備える、上記（３９）の方法。
【図１】
0005583729.tif 000005
【図２】
0005583729.tif 000006
【図３】
0005583729.tif 000007
【図４】
0005583729.tif 000008
【図５】
0005583729.tif 000009
【図６】
0005583729.tif 000010
【図７】
0005583729.tif 000011
【図８】
0005583729.tif 000012
【図９】
0005583729.tif 000013
【図１０】
0005583729.tif 000014